(57)【要約】【課題】  ２枚の蓋板が接着されても、包装容器をスムーズに開封することができる技術を開示する。【解決手段】  包装容器では、蓋板１８の重複部分２０が蓋板１６の上方に重複して、シール５０によって、蓋板１６に接着されている。シール５０は、重複部分２０の切離部２４に接着されている。切離部２４は、スリット部２４ａによって、蓋板１８の他の部分と区別されている。蓋板１８の他の部分には、スリット部２４ａを介して切離部２４に隣接して配置される変形部２２が設けられている。変形部２２は、包装容器の外側から指Ｆ等で押圧すると、周囲に位置する蓋板１８に対して包装容器の内側に変形する。蓋板１６は、変形部２２に重複する位置を避けて配置されている。【選択図】  図３
2017121954.tif 000002
【特許請求の範囲】
【請求項１】
第１側板に連結される第１蓋板と、第１側板に間隔を有して対向する第２側板に連結される第２蓋板と、を備える包装容器であって、
第１蓋板は、その一部に第１側板と第２側板との間隔の中間位置において、第２蓋板の外側に重複する重複部分を有しており、
重複部分には、少なくとも一部に第１蓋板の他の部分とスリットが断続的に配置されているスリット部によって区切られている切離部が配置されており、
第１蓋板の他の部分には、スリット部を介して切離部に隣接して配置されており、包装容器の外側から押圧すると、周囲に位置する第１蓋板に対して包装容器の内側に変形可能な変形部が配置されており、
第２蓋板は、変形部に重複する位置を避けて配置されている、包装容器。
【請求項２】
変形部は、
第１側板側の第１端辺において、第１蓋板の他の部分に連結されており、
第２側板側の第２端辺において、切離部とスリット部を介して隣接しており、
第１端辺の一端と第２端辺の一端とを連結する側辺及び第１端辺の他端と第２端辺の他端とを連結する側辺には、スリットが設けられている、請求項１に記載の包装容器。
【請求項３】
スリット部は、それぞれが重複部分の第２側板側の端辺から第１側板側に延びる一対の第１スリット部と、一対の第１スリット部の第１側板側の端を連結する第２スリット部と、を有する、請求項１又は２に記載の包装容器。
【請求項４】
第１蓋板の第２側板側の端辺と第２蓋板の第１側板側の端辺とが、第１側板と第２側板との間隔の中間位置で近接して配置され、
重複部分は、第１蓋板の第２側板側の端辺の中央部において第１蓋板の第２側板側の端辺よりも第２側板側に突出して、第２蓋板の第１側板側を越えて第２蓋板に重複する、請求項１から３のいずれか一項に記載の包装容器。
【請求項５】
切離部は、重複部分の第１側板側の端辺から第２側板側の端辺まで延びており、
変形部は、第２蓋板の第１側板側の端辺よりも第１側板側に配置されており、
第２蓋板の第１側板側の端辺は、切離部に重複する部分において、変形部から離間するように、第２側板側に位置している、請求項４に記載の包装容器。
【請求項６】
第１蓋板の第２側板側の端辺には、第１蓋板から包装容器の外側に突出する第１把持部が連結されており、
第２蓋板の第１側板側の端辺には、第１把持部と重なって第２蓋板から包装容器の外側に突出する第２把持部が連結されており、
第１側板と第２側板の間に配置される第３側板と第４側板のそれぞれには、第１把持部と第２把持部の端部に係合する係合部が配置されている、請求項４又は５に記載の包装容器。
【請求項７】
第２蓋板は、切離部の変形部側の端縁に重複する位置を避けて配置されている、請求項１〜６のいずれか一項に記載の包装容器。
【発明の詳細な説明】
【技術分野】
【０００１】
本明細書は、２枚の蓋板を有する包装容器に関する。
【背景技術】
【０００２】
特許文献１に、直方体形状の包装容器が開示されている。包装容器は、互いに対向する一対の側板から延びる２枚の蓋板によって閉じられている。この包装容器では、２枚の蓋板は、上記の一対の側板の間に配置される他の一対の側板から延びる２枚のフラップのそれぞれに内側で接着される。２枚の蓋板が閉じられている状態では、２枚の蓋板の端縁が近接して対向している。２枚の蓋板の端縁の中央部には、包装容器の内側に変形可能な指掛け罫線部が配置されている。使用者は、開封時に、指掛け罫線部の間に指を挿入して、指掛け罫線部を包装容器の内側に変形させる。そして、使用者は、包装容器の内側からフラップに指を掛けてフラップを包装容器の外側に引っ張り上げることによって、フラップを移動させ、包装容器を開封する。
【先行技術文献】
【特許文献】
【０００３】
【特許文献１】特開２０１５−１３７１３３号公報
【発明の概要】
【発明が解決しようとする課題】
【０００４】
２枚の蓋板の端縁が互いに重複して配置される種類の包装容器がある。このような包装容器では、重複部分で２枚の蓋板を接着することによって、包装容器が開かないように閉じる場合がある。この場合、開封時には、２枚の蓋板の接着部分を剥がすことによって、開封する。しかしながら、接着部分がスムーズに剥がれずに、無理に包装容器を破断させて開封しなければならない状況が起こり得る。
【０００５】
本明細書では、２枚の蓋板が接着されても、包装容器をスムーズに開封することができる技術を開示する。
【課題を解決するための手段】
【０００６】
本明細書で開示される技術は、第１側板に連結される第１蓋板と、第１側板に間隔を有して対向する第２側板に連結される第２蓋板と、を備える包装容器に関する。包装容器では、第１蓋板は、その一部に第１側板と第２側板との間隔の中間位置において、第２蓋板の外側に重複する重複部分を有している。重複部分には、少なくとも一部に第１蓋板の他の部分とスリットが断続的に配置されているスリット部によって区切られている切離部が配置されている。第１蓋板の他の部分には、スリット部を介して切離部に隣接して配置されており、包装容器の外側から押圧すると、周囲に位置する第１蓋板に対して包装容器の内側に変形可能な変形部が配置されている。第２蓋板は、変形部に重複する位置を避けて配置されている。
【０００７】
上記の構成では、第１蓋板の切離部と第２蓋板とを接着することによって、包装容器が開かないように第１蓋板と第２蓋板とを閉じる。開封時には、使用者の指等で変形部を包装容器の内側に変形させて、切離部の変形部側の端縁に指等を引掛けて、包装容器の外側に引っ張ることによって、切離部を第１蓋板の他の部分から切り離すことができる。切離部は、第１蓋板の他の部分とスリット部によって区切られており、容易に切り離すことができる。また、第２蓋板は、変形部に重複していないため、変形部の変形を妨げない。この結果、切離部が第２蓋板に接着された状態で第１蓋板の他の部分と切り離されるため、包装容器を容易に開封することができる。この構成によれば、２枚の蓋板が接着されても、包装容器をスムーズに開封することができる。
【図面の簡単な説明】
【０００８】
【図１】実施例の包装容器の斜視図を示す。
【図２】実施例の包装容器の展開図を示す。
【図３】実施例の包装容器を開封する途中の状態を示す拡大斜視図を示す。
【図４】図３のIV-IV断面の断面図を示す。
【図５】実施例の包装容器の切離部を切り離した状態を示す斜視図を示す。
【図６】変形例の包装容器の斜視図を示す。
【図７】変形例の包装容器の斜視図を示す。
【発明を実施するための形態】
【０００９】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１０】
（特徴１）本明細書で開示される包装容器では、変形部は、第１側板側の第１端辺において、第１蓋板の他の部分に連結されており、第２側板側の第２端辺において、切離部とスリット部を介して隣接しており、第１端辺の一端と第２端辺の一端とを連結する側辺及び第１端辺の他端と第２端辺の他端とを連結する側辺には、スリットが設けられていてもよい。この構成によれば、変形部を包装容器の内側に向けて押圧すれば、スリットが配置された位置で第１蓋板の他の部分と切り離され、容易に変形することができる。
【００１１】
（特徴２）本明細書で開示される包装容器では、スリット部は、それぞれが重複部分の第２側板側の端辺から第１側板側に延びる一対の第１スリット部と、一対の第１スリット部の第１側板側の端を連結する第２スリット部と、を有していてもよい。この構成によれば、切離部を第１蓋板の他の部分から容易に切り離すことができる。
【００１２】
（特徴３）本明細書で開示される包装容器では、第１蓋板の第２側板側の端辺と第２蓋板の第１側板側の端辺とが、第１側板と第２側板との間隔の中間位置で近接して配置されていてもよい。重複部分は、第１蓋板の第２側板側の端辺の中央部において第１蓋板の第２側板側の端辺よりも第２側板側に突出して、第２蓋板の第１側板側を越えて第２蓋板に重複してもよい。
【００１３】
（特徴４）本明細書で開示される包装容器では、切離部は、重複部分の第１側板側の端辺から第２側板側の端辺まで延びていてもよい。変形部は、第２蓋板の第１側板側の端辺よりも第１側板側に配置されていてもよい。第２蓋板の第１側板側の端辺は、切離部に重複する部分において、変形部から離間するように、第２側板側に位置していてもよい。この構成によれば、第１蓋板の第２側板側の端辺と第２蓋板の第１側板側の端辺とを、第１側板と第２側板との間隔の中間位置で近接して配置する一方で、第２蓋板を切離部の変形部側の端縁に重複する位置を避けて配置することができる。
【００１４】
（特徴５）本明細書で開示される包装容器では、第１蓋板の第２側板側の端辺には、第１蓋板から包装容器の外側に突出する第１把持部が連結されていてもよい。第２蓋板の第１側板側の端辺には、第１把持部と重なって第２蓋板から包装容器の外側に突出する第２把持部が連結されていてもよい。第１側板と第２側板の間に配置される第３側板と第４側板のそれぞれには、第１把持部と第２把持部の端部に係合する係合部が配置されていてもよい。この構成によれば、第１把持部と第２把持部とを利用して、包装容器を傾けずに持ち上げることができる。
【００１５】
（特徴６）本明細書で開示される包装容器では、第２蓋板は、切離部の変形部側の端縁に重複する位置を避けて配置されていてもよい。この構成によれば、変形部から挿入した指等を切離部に引掛ける際に、第２蓋板に指が引っ掛かってしまう事態を抑制することができる。これにより、切離部に指等を適切に引掛けて切離すことができる。
【実施例】
【００１６】
図１は、包装容器１０の斜視図を示す。包装容器１０は、例えばケーキ等のお菓子を店舗から持ち帰るために用いられる。図２は、包装容器１０が展開されたブランク１００を示す。包装容器１０は、１枚のブランク１００を組み立てることによって、作製される。包装容器１０は、厚紙等の丈夫な紙で作製されている。なお、包装容器１０の材料は、紙に限定されず、樹脂等の紙以外の材料であってもよい。なお、本明細書では、便宜上、図１に示す方向で前後左右上下方向を規定している。なお、高さ方向は、上下方向と平行である。
【００１７】
図１及び図２に示すように、包装容器１０は、４枚の側板１２，１３，１４，１５と、４枚の底板４０，４２，４４，４６と、２枚の蓋板１６，１８と、２枚の把持板３４，３６と、２枚の係合板３０，３２と、を備える。なお、図２において、包装容器１０に組み立てられる際に接着剤が塗布される領域は、斜線で表されている。
【００１８】
４枚の側板１２，１３，１４，１５は、それぞれ矩形状を有しており、四角形の筒状に配置されている。図２に示すように、側板１２、側板１５、側板１３、側板１４の順に連結されている。側板１２と側板１４とは、側板１２の一端に連結された接着片１２ａに側板１４の内面を接着させることによって、４枚の側板１２，１３，１４，１５が筒状に連結される。
【００１９】
４枚の側板１２，１３，１４，１５のそれぞれの下端には、４枚の底板４０，４４，４２，４６のそれぞれが連結されている。包装容器１０の底部は、４枚の底板４０，４４，４２，４６によって構成されている。底板４０は、接着部分４０ａにおいて、底板４２の下面に接着されている。接着部分４０ａと底板４２とは、接着領域４２ａに塗布された接着剤によって接着されている。同様に、底板４４は、接着部分４４ａにおいて、底板４６の下面の接着領域４６ａに塗布された接着剤によって、底板４６と接着されている。そして、底板４０の係合部分４０ｃと底板４４の係合部分４４ｃとが互いに係合する。
【００２０】
４枚の側板１２，１３，１４，１５のうち、互いに対向する側板１２，１３のそれぞれの上端には、蓋板１６，１８のそれぞれが連結されている。蓋板１６，１８は、矩形状を有する。蓋板１６は、側板１２の上端辺から後方に向かって、側板１４，１５の前後方向の略中央位置まで延びている。蓋板１６の左右方向の長さは、側板１２の左右方向の長さと一致する。同様に、蓋板１８は、側板１３の上端辺から前方に向かって、側板１４，１５の前後方向の略中央位置まで延びている。蓋板１８の左右方向の長さは、側板１３の左右方向の長さと一致する。
【００２１】
蓋板１６の後端辺１６ａは、包装容器１０の前後方向の中央位置において、蓋板１８の前端辺１８ａに近接して配置されている。詳細には、後端辺１６ａと前端辺１８ａとの間には、若干の隙間（例えば設計値で１．０ｍｍ程度）が設けられている。なお、後端辺１６ａと前端辺１８ａとが接触してもよく、この場合も、後端辺１６ａと前端辺１８ａとが近接して配置されていると言うことができる。
【００２２】
蓋板１８は、前端辺１８ａの左右方向の中央部に、重複部分２０を有している。重複部分２０は、前端辺１８ａから前方に向かって突出している。重複部分２０は、左右方向に長辺が延びる略長方形状を有しており、前側の両角が丸められている。重複部分２０の前端には、切離部２４が配置されている。切離部２４は、略台形形状を有しており、後方に向かって左右方向の幅が狭くなっている。切離部２４の前端辺は、重複部分２０の前端辺と一致し、切離部２４の後端辺は、前端辺１８ａよりも前方に位置する。切離部２４は、前端辺を除く各辺に沿って、スリット部２４ａによって、蓋板１８の他の部分と区切られている。スリット部２４ａでは、断続的に蓋板１８を貫通するスリットが設けられている。スリット部２４ａは、それぞれが重複部分２０の側板１２側の端辺から側板１３側に延びる一対の第１スリット部２４ｂと、一対の第１スリット部２４ｂの側板１３側の端を連結する第２スリット部２４ｃと、を備える。
【００２３】
重複部分２０には、切離部２４の後端には、変形部２２が配置されている。変形部２２は、切離部２４とスリット部２４ａ介して隣接する。変形部２２は、長方形状を有しており、前端辺はスリット部２４ａを介して切離部２４に接しており、左右両端辺は、それぞれ、スリット２２ａを介して重複部分２０の他の部分と区切られている。スリット２２ａは、蓋板１８を貫通している。スリット２２ａは、前後方向において切離部２４の後端と前端辺１８ａとの間に配置されている。
【００２４】
重複部分２０の下方に位置する蓋板１６の後端辺１６ａには、逃げ形状１６ｂが形成されている。逃げ形状１６ｂは、後端辺１６ａの中央位置に配置されており、後端辺１６ａの他の部分から前方に湾曲するように形成されている。逃げ形状１６ｂは、重複部分２０の下方に位置しており、外側からは見えない。図３では、逃げ形状１６ｂ及び逃げ形状１６ｂに連なる後端辺１６ａが一点鎖線で示されている。逃げ形状１６ｂは、上方に重複される変形部２２の前端辺よりも前方に位置する。なお、図３は、包装容器１０を開封する途中の段階を示す図であり、使用者の指Ｆが変形部２２に挿入されている様子が表されている。さらに、逃げ形状１６ｂは、上方に重複される切離部２４の後端辺よりも前方に位置する。
【００２５】
図１に示すように、後端辺１６ａには、把持板３４が連結されている。把持板３４は、左右方向の中央部分において、後端辺１６ａから上方に離間しており、蓋板１６との間で開口している。開口の左右方向の長さは、重複部分２０の左右方向の長さと一致する。後端辺１６ａの左右両端には、略Ｖ字状の係合形状が形成されている。前端辺１８ａには、把持板３６が連結されている。把持板３６は、把持板３４と同一形状を有しており、把持板３４と重ね合わされている。
【００２６】
把持板３４，３６は、重ね合わされた状態で、係合板３０，３２と係合する。係合板３０，３２は、それぞれ側板１５，１４の上端辺に連結されている。係合板３０，３２は、略三角形状を有している。係合板３０の前後方向の中央には、上下方向に延びる係合孔３０ａが配置されている。係合孔３０ａは、係合板３０を貫通している。係合板３２は、係合孔３０ａと同様の係合孔３２ａを有している。
【００２７】
包装容器１０は、蓋板１６，１８が開かれた状態で内部にお菓子等を収容して、蓋板１６，１８を閉じると、把持板３４，３６が重ね合わせられる。そして、把持板３４，３６の左右両端が係合孔３０ａ，３２ａに挿入されて、係合形状が係合板３０，３２に係合することによって、把持板３４，３６が固定される。これにより、使用者は、把持板３４，３６を把持することによって、包装容器１０を運ぶことができる。包装容器１０は、誤開封を防止するために、重複部分２０にシール５０が貼り付けられる。シール５０には、例えば、お菓子の賞味期限等が記載されている。
【００２８】
使用者は、包装容器１０を開封する際に、シール５０を剥がそうとしてもスムーズに剥がれない場合も多い。また、包装容器１０の内容物がケーキ等の崩れやすいものである場合には、無理に剥がしたり破いたりしようとして、内容物が倒れて崩れる場合がある。
【００２９】
図３は、包装容器１０を開封する方法を説明するための重複部分周辺の拡大斜視図である。包装容器１０では、使用者は、開封時に、指で変形部２２を下方に押す。変形部２２は、後端辺以外の辺は、スリット２２ａとスリット部２４ａによって、蓋板１８の他の部分と切離しやすくなっている。このため、変形部２２は、押圧力によって、後端辺を軸に回動する。また、蓋板１６は逃げ形状１６ｂを有しているために、変形部２２の下方には、蓋板１６が存在しない。このため、使用者は、比較的に弱い力で変形部２２を変形させることができる。変形部２２は、周囲の蓋板１８に対して、収容容器１０の内側に変形する。
【００３０】
図４に示すように、変形部２２が変形されると、指が包装容器１０の内部に挿入される。これにより、使用者は、指を切離部２４の後端辺に引っ掛けることができる。蓋板１６は逃げ形状１６ｂを有しているために、指が蓋板１６に引っ掛かることを抑制することができる。使用者は、切離部２４に指を引っ掛けて引き上げることによって、図５に示すように、切離部２４が、蓋板１８の他の部分から切離される。これにより、使用者は、シール５０を剥がしたり破断させたりすることなく、包装容器１０を開封することができる。
【００３１】
なお、切離部２４は、蓋板１８から切離されても、シール５０によって蓋板１６に貼り付けられているため、切離部２４が包装容器１０から分離されることを防止することができる。
【００３２】
さらに、変形部２２は、使用者の１本の指Ｆが挿入される程度の大きさを有している。変形部２２をできるだけ小さくすることによって、変形部２２が意図せずに変形されることを抑制することができる。
【００３３】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。
【００３４】
（変形例）
（１）実施例の包装容器１０は、把持板３４，３６を備える。しかしながら、「包装容器」は、把持部を備えていなくてもよい。例えば、図６に示すように、包装容器２００は、直方体形状を有していてもよい。包装容器２００は、側板１２，１５，１３，１４と同様の４枚の側板２１２，２１４を備えていてもよい。また、シール５０と同様のシール２５０で貼り付けられている。
【００３５】
（２）実施例の包装容器１０は、重複部分２０は、蓋板１８の左右方向の中央の一部に配置されている。しかしながら、「重複部分」の構成はこれに限定されない。例えば、図６に示すように、重複部分２２０は、蓋板２１８の左右方向の全長に亘って配置されていてもよい。重複部分２２０は、蓋板１６の左右方向の全長に亘って蓋板１６に重複していてもよい。切離部２２４は、重複部分２２０の左右方向の中央に位置していてもよい。あるいは、切離部２２４は、重複部分２２０の左右方向のいずれかに偏って配置されていてもよい。また、あるいは、重複部分２２０の左右方向に、複数の切離部２２４が間隔を有して配置されていてもよい。この場合、変形部２２と同様の変形部２２２は、蓋板２１６の後端辺２１６ａよりも後方に配置されていてもよい。また、逃げ形状１６ｂと同様の逃げ形状２１６ｂは、配置されていなくてもよい。
【００３６】
（３）実施例の包装容器１０は、切離部２４は、重複部分２０の左右方向の中央に配置されている。しかしながら、「切離部」の形状はこれに限らず、半円形状等のであってもよい。あるいは、例えば、図７に示すように、切離部３２４は、重複部分２０の左右方向の全長に亘って配置されていてもよい。この場合、スリット部３２４ａは、左右方向に平行に延びていていもよい。
【００３７】
（４）また、切離部２４は、シール５０以外の接着剤等で接着されていてもよい。
【００３８】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００３９】
１０      ：包装容器
１２、１３、１４、１５：側板
１６、１８：蓋板
１６ｂ    ：逃げ形状
２０      ：重複部分
２２      ：変形部
２２ａ    ：スリット
２４      ：切離部
２４ａ    ：スリット部
２４ｂ    ：第１スリット部
２４ｃ    ：第２スリット部
３０      ：係合板
３０ａ    ：係合孔
３２      ：係合板
３２ａ    ：係合孔
３４      ：把持板
３６      ：把持板
５０      ：シール
【図１】
2017121954.tif 000003
【図２】
2017121954.tif 000004
【図３】
2017121954.tif 000005
【図４】
2017121954.tif 000006
【図５】
2017121954.tif 000007
【図６】
2017121954.tif 000008
【図７】
2017121954.tif 000009
【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
第１側板に連結される第１蓋板と、第１側板に間隔を有して対向する第２側板に連結される第２蓋板と、を備える包装容器であって、
第１蓋板は、その一部に第１側板と第２側板との間隔の中間位置において、第２蓋板の外側に重複する重複部分を有しており、
重複部分には、少なくとも一部に第１蓋板の他の部分とスリットが断続的に配置されているスリット部によって区切られている切離部が配置されており、
第１蓋板の他の部分には、スリット部を介して切離部に隣接して配置されており、包装容器の外側から押圧すると、周囲に位置する第１蓋板に対して包装容器の内側に変形可能な変形部が配置されており、
第２蓋板は、変形部に重複する位置を避けて配置されており、切離部の変形部側の端縁に重複する位置を避けて配置されている、包装容器。
【請求項２】
変形部は、
第１側板側の第１端辺において、第１蓋板の他の部分に連結されており、
第２側板側の第２端辺において、切離部とスリット部を介して隣接しており、
第１端辺の一端と第２端辺の一端とを連結する側辺及び第１端辺の他端と第２端辺の他端とを連結する側辺には、スリットが設けられている、請求項１に記載の包装容器。
【請求項３】
スリット部は、それぞれが重複部分の第２側板側の端辺から第１側板側に延びる一対の第１スリット部と、一対の第１スリット部の第１側板側の端を連結する第２スリット部と、を有する、請求項１又は２に記載の包装容器。
【請求項４】
第１蓋板の第２側板側の端辺と第２蓋板の第１側板側の端辺とが、第１側板と第２側板との間隔の中間位置で近接して配置され、
重複部分は、第１蓋板の第２側板側の端辺の中央部において第１蓋板の第２側板側の端辺よりも第２側板側に突出して、第２蓋板の第１側板側を越えて第２蓋板に重複する、請求項１から３のいずれか一項に記載の包装容器。
【請求項５】
切離部は、重複部分の第１側板側の端辺から第２側板側の端辺まで延びており、
変形部は、第２蓋板の第１側板側の端辺よりも第１側板側に配置されており、
第２蓋板の第１側板側の端辺は、切離部に重複する部分において、変形部から離間するように、第２側板側に位置している、請求項４に記載の包装容器。
【請求項６】
第１蓋板の第２側板側の端辺には、第１蓋板から包装容器の外側に突出する第１把持部が連結されており、
第２蓋板の第１側板側の端辺には、第１把持部と重なって第２蓋板から包装容器の外側に突出する第２把持部が連結されており、
第１側板と第２側板の間に配置される第３側板と第４側板のそれぞれには、第１把持部と第２把持部の端部に係合する係合部が配置されている、請求項４又は５に記載の包装容器。